(57)【要約】【課題】  画像データ処理装置の操作を利便性よくする。【解決手段】  ネットワーク複合機１００は、処理対象の原稿または画像データに対する処理の指示を、所定の形式の２次元コード情報で取得する画像データ取得部１０８と、画像データ取得部１０８が取得した所定の形式の２次元コード情報をデコードする２次元コード情報デコード部１１２と、２次元コード情報デコード部１１２がデコードした指示に基づき、処理対象の原稿または画像データへの処理を制御する制御部１１６と、を含む【選択図】        図１
2006080940.tif 000002
【特許請求の範囲】
【請求項１】
処理対象の原稿または画像データに対する処理の指示を、所定の形式の２次元コード情報で受け付ける指示受付手段と、
前記受付手段が受け付けた前記所定の形式の２次元コード情報をデコードするデコード手段と、
前記デコード手段がデコードした前記指示に基づき、前記処理対象の原稿または画像データへの処理を制御する制御手段と、
を含むことを特徴とする画像データ処理装置。
【請求項２】
請求項１に記載の画像データ処理装置において、
原稿を読み取り、画像データを生成する原稿読取手段をさらに含み、
前記制御手段は、前記指示受付手段が受け付けた指示に基づき、前記原稿読取手段の動作を制御することを特徴とする画像データ処理装置。
【請求項３】
請求項１に記載の画像データ処理装置において、
原稿を読み取り、画像データを生成する原稿読取手段をさらに含み、
前記制御手段は、前記指示受付手段が受け付けた指示に基づき、前記原稿読取手段が生成した画像データへの処理を制御することを特徴とする画像データ処理装置。
【請求項４】
請求項２または３に記載の画像データ処理装置において、
前記原稿読取手段は、前記所定の形式の２次元コード情報を含む原稿を読み取り、前記所定の形式の２次元コード情報を含む画像データを生成し、
前記指示受付手段は、前記原稿読取手段が生成した前記所定の形式の２次元コード情報を含む画像データを前記指示として受け付けることを特徴とする画像データ処理装置。
【請求項５】
請求項１乃至３いずれかに記載の画像データ処理装置において、
前記所定の形式の２次元コード情報を読み取り、前記所定の形式の２次元コード情報を含む画像データを生成する２次元コード情報読取手段をさらに含み、
前記指示受付手段は、前記２次元コード情報読取手段が生成した画像情報を前記指示として受け付けることを特徴とする画像データ処理装置。
【請求項６】
請求項１乃至５いずれかに記載の画像データ処理装置において、
前記制御手段は、前記デコード手段がデコードした情報にコマンド情報が含まれるか否かを解析することを特徴とする画像データ処理装置。
【請求項７】
ユーザの操作による処理対象の原稿または画像データに対する処理の指示を受け付ける操作受付手段と、
前記操作受付手段が受け付けた指示を示す文字情報を、所定の形式の２次元コード情報に変換する変換手段と、
前記変換手段が変換した２次元コード情報を印刷する印刷手段と、
を含むことを特徴とする画像データ処理装置。
【請求項８】
請求項７に記載の画像データ処理装置において、
前記印刷手段は、前記２次元コード情報とともに、前記指示を示す文字情報を印刷することを特徴とする画像データ処理装置。
【発明の詳細な説明】
【技術分野】
【０００１】
この発明は、画像データ処理装置に関し、とくに２次元コード情報を取り扱う画像データ処理装置に関する。
【背景技術】
【０００２】
近年、水平方向および垂直方向の２次元方向に情報を持つ２次元コード情報が普及してきている。２次元コードは、一次元コードに比べて大容量の情報を扱うことができるため、コード自体に種々の情報を持たせることが可能である。
【０００３】
特許文献１には、プリンタ装置が端末装置から依頼された印刷データを印刷する際に、用紙上端部と用紙下端部にそれぞれ印刷データを識別する情報と、印刷状態を識別するための情報が含まれたバーコードを印刷データとともに印刷し、用紙排出口にて前記バーコードを読み取ることにより印刷の状態を識別し、印刷履歴として管理するように構成されたシステムが開示されている。ここで、用紙排出口にバーコードリーダが設けられており、用紙排出口にてバーコードを読み取ることにより、印刷の状態を識別して、用紙排出が完了したことをユーザに通知できるようになっている。
【特許文献１】特開２００４−９０２３５号公報
【発明の開示】
【発明が解決しようとする課題】
【０００４】
ところで、たとえば一台の装置にファクシミリ機能、プリンタ機能、コピー機能、およびスキャン機能等の複数の機能を備えた複合機や、これらの機能のいずれかを有するたとえばファクシミリ装置やスキャナ等においては、原稿や画像データに対する処理を指示する場合、操作部を用いてユーザがいちいち設定を入力しなければならず、複数の設定を行わなければならない場合に、手間がかかるという課題があった。
【０００５】
本発明はこうした点に鑑みてなされたもので、その目的は、画像データ処理装置の操作を利便性よくする技術の提供にある。
【課題を解決するための手段】
【０００６】
本発明によれば、処理対象の原稿または画像データに対する処理の指示を、所定の形式の２次元コード情報で受け付ける指示受付手段と、受付手段が受け付けた所定の形式の２次元コード情報をデコードするデコード手段と、デコード手段がデコードした指示に基づき、処理対象の原稿または画像データへの処理を制御する制御手段と、を含むことを特徴とする画像データ処理装置が提供される。
【０００７】
所定の形式の２次元コード情報は、たとえばＱＲコードとすることができる。
【０００８】
画像データ処理装置は、スキャナ等の原稿読取手段をさらに含むことができ、原稿読取手段により原稿を読み取ることに処理対象の画像データを生成することができる。また、画像データ処理装置は、ネットワークを介して他の端末と送受信を行う通信制御手段をさらに含むことができ、他の端末からネットワークを介して画像データを取得することができる。
【０００９】
ここで、処理対象の原稿または画像データに対する処理は、たとえば、原稿の読み取り、画像データの送信、回覧、処理依頼等である。
【００１０】
ここで、画像データ処理装置は、たとえば一台の装置にファクシミリ機能、プリンタ機能、コピー機能、およびスキャン機能等の複数の機能を備えた複合機や、これらの機能のいずれかを有するたとえばファクシミリ装置やスキャナ等とすることができる。このような装置において、従来、原稿や画像データに対する処理の指示は、ユーザが操作部等を用いていちいち入力する必要があった。
【００１１】
本発明の画像データ処理装置によれば、処理対象の原稿や画像データに対する処理の指示を、２次元コード情報を印刷した原稿または２次元コード情報を含む画像データとして保持しておけば、その２次元コード情報に基づき、画像データ処理装置に処理対象の原稿や画像データに対する処理を行わせることができる。これにより、たとえば複雑な処理手順があるような場合に、ユーザがいちいち操作部を用いて指示を入力することなく、画像データ処理装置に所望の処理を実行させることができる。
【００１２】
本発明の画像データ処理装置は、原稿を読み取り、画像データを生成する原稿読取手段をさらに含むことができ、制御手段は、指示受付手段が受け付けた指示に基づき、原稿読取手段の動作を制御することができる。
【００１３】
ここで、原稿に対する処理の指示は、たとえば原稿読取手段が、原稿をカラーで読み取るか白黒で読み取るか、両面を読み取るか、片面のみを読み取るか等とすることができる。
【００１４】
本発明の画像データ処理装置によれば、原稿読取手段に原稿を読み取らせる際の原稿読取手段の動作をいちいち指定することなく、所望の処理を実行させることができる。
【００１５】
本発明の画像データ処理装置は、原稿を読み取り、画像データを生成する原稿読取手段をさらに含むことができ、制御手段は、指示受付手段が受け付けた指示に基づき、原稿読取手段が生成した画像データへの処理を制御することができる。
【００１６】
画像データ処理装置は、画像データを印刷する印刷手段をさらに含むことができる。たとえば、原稿読取手段に原稿を読み取らせてコピーさせたり、原稿読取手段が生成した画像データを印刷手段に印刷させたりする際には、印刷枚数、印刷サイズ、インク濃度、両面／片面印刷、用紙サイズ等、種々の設定を行う必要がある。従来、ユーザはこれらの設定をいちいち操作部から指定していた。また、よく設定される設定条件については、たとえばワンタッチキー等に対応づけて登録することも可能である。しかし、ワンタッチキー等には数に限りがあり、一つの画像データ処理装置を複数のユーザで共有して利用する場合には、登録できる設定条件が限られていた。また、せっかく登録していても、それらを読み出すのにかえって手間がかかるということもあった。
【００１７】
本発明の画像データ処理装置によれば、種々の設定条件を２次元コード情報として印刷等しておき、画像データを印刷等させる際に、指示として２次元コード情報を入力すれば良いだけなので、簡単に画像データ処理装置に所望の処理を実行させることができる。また、このような２次元コード情報をユーザが各自で保持しておくことにより、一つの画像データ処理装置を複数のユーザで共有して利用する場合であっても、画像データ処理装置に自分の所望の処理を簡単に実行させることができる。さらに、一つの２次元コード情報を、複数の画像データ処理装置に利用することができる。
【００１８】
本発明の画像データ処理装置において、原稿読取手段は、所定の形式の２次元コード情報を含む原稿を読み取り、所定の形式の２次元コード情報を含む画像データを生成することができ、指示受付手段は、原稿読取手段が生成した所定の形式の２次元コード情報を含む画像データを指示として受け付けることができる。
【００１９】
このようにすれば、原稿読み取り時や画像データの印刷や送信時に、所望の指示を含む２次元コード情報が印刷された原稿を原稿読取手段に読み取らせるだけで、簡単に画像データ処理装置に所望の処理を実行させることができる。
【００２０】
本発明の画像データ処理装置は、所定の形式の２次元コード情報を読み取り、所定の形式の２次元コード情報を含む画像データを生成する２次元コード情報読取手段をさらに含むことができ、指示受付手段は、２次元コード情報読取手段が生成した画像情報を指示として受け付けることができる。
【００２１】
ここで、画像データ処理装置がスキャナ機能を有する場合は、スキャナが２次元コード情報読取手段を兼ねることができる。これにより、画像データ処理装置に新たに２次元コード情報を読み取るバーコードリーダ等を設けることなく、２次元コード情報を読み取ることができる。また、他の例において、画像データ処理装置は、２次元コード情報を読み取るための専用のバーコードリーダ等を含むこともできる。
【００２２】
本発明の画像データ処理装置において、制御手段は、デコード手段がデコードした情報にコマンド情報が含まれるか否かを解析することができる。
【００２３】
本発明によれば、ユーザの操作による処理対象の原稿または画像データに対する処理の指示を受け付ける操作受付手段と、操作受付手段が受け付けた指示を示す文字情報を、所定の形式の２次元コード情報に変換する変換手段と、変換手段が変換した２次元コード情報を印刷する印刷手段と、を含むことを特徴とする画像データ処理装置が提供される。
【００２４】
たとえばユーザが操作部等を用いて原稿または画像データに対する処理の指示を入力した場合に、その指示を後にも行いたいような場合には、その指示をコマンドやパラメータで表した文字情報を２次元コード情報として印刷しておくことができる。これにより、後に同じ処理を行うような場合に、２次元コード情報を読み取らせるだけで、上述したような画像データ処理装置に、所望の処理を実行させることができる。
【００２５】
本発明の画像データ処理装置において、印刷手段は、２次元コード情報とともに、指示を示す文字情報を印刷することができる。
【００２６】
このようにしておけば、２次元コード情報に含まれる指示の内容をユーザが把握できる。これにより、２次元コード情報を用いて画像データ処理装置に原稿や画像データに対する処理を指示する際のユーザの利便性が高まる。ここで、２次元コード情報と、指示を示す文字情報とは並置して１枚の原稿に印刷することができる。
【００２７】
なお、以上の構成要素の任意の組合せ、本発明の表現を方法、装置、システム、記録媒体、コンピュータプログラムなどの間で変換したものもまた、本発明の態様として有効である。
【発明の効果】
【００２８】
本発明によれば、画像データ処理装置の操作を利便性よくすることができる。
【発明を実施するための最良の形態】
【００２９】
以下の実施の形態において、画像データ処理装置は、ファクシミリ、プリンタ、コピー、スキャナ機能等を統合したネットワーク複合機である。本実施の形態におけるネットワーク複合機は、たとえばネットワークファクシミリ装置やＭＦＰ（Multi Functional Peripheral）等である。ここで、ネットワーク複合機は、インターネット等のネットワークやＰＳＴＮ（公衆交換電話網）に接続可能である。ネットワーク複合機は、ＰＳＴＮを通じてＧ３ファクシミリ装置等と通信する。また、ネットワーク複合機は、インターネット等を介して他のネットワークファクシミリ装置やＥメール端末とデータの送受信を行う。
【００３０】
（第一の実施の形態）
本実施の形態におけるネットワーク複合機は、所定の形式の２次元コード情報をデコードして文字情報に変換する機能を有する。ここで、２次元コード情報は、一般的に２次元コード情報として知られている種々のものを用いることができるが、たとえばＱＲコードを用いることができる。ネットワーク複合機は、処理対象の原稿または画像データに対する処理の指示を、所定の形式の２次元コード情報で受け付け、２次元コード情報をデコードした文字情報に含まれるコマンド情報やパラメータに基づき、処理対象の原稿または画像データに対する処理を行う。
【００３１】
図１は、本実施の形態におけるネットワーク複合機の構成を示すブロック図である。
ネットワーク複合機１００は、指示受付部１０２、原稿読取部１０４、通信制御部１０６、画像データ取得部１０８、検出部１１０、２次元コード情報デコード部１１２、解析処理部１１４、制御部１１６、印刷処理部１１８、および表示部１２０を含む。
【００３２】
なお、図１において、本発明の本質に関わらない部分の構成については省略してあり、たとえば、一般的なネットワーク複合機の構成である画像処理部等は図示していない。
【００３３】
指示受付部１０２は、ユーザから、処理対象の原稿や画像データに対する処理の指示を受け付ける。指示受付部１０２は、ユーザから原稿や画像データに対するジョブの指定や処理の指示を受け付ける。ここで、ジョブとは、たとえば、コピー、ＦＡＸ送信、メール送信、スキャン等である。たとえば、指示受付部１０２は、ユーザから原稿の読み取り指示を受け付ける。また、本実施の形態において、後述するように、ネットワーク複合機１００は、このようなジョブの指定や処理の指示を、２次元コード情報により受け付けることができる。
【００３４】
通信制御部１０６は、ネットワーク１５０を介して他のファクシミリ装置や端末と画像データの送受信を行う。ネットワーク１５０は、たとえばＰＳＴＮ（公衆交換電話網）、インターネット等のパブリックネットワーク、またはＬＡＮ等のプライベートネットワークである。ここでは、これらをまとめてネットワーク１５０として示す。
【００３５】
原稿読取部１０４は、原稿を読み取り、画像データを生成する。画像データ取得部１０８は、原稿読取部１０４が生成した画像データや、通信制御部１０６を介して他の端末から送信された画像データを取得する。検出部１１０は、画像データ取得部１０８が取得した画像データに２次元コード情報が含まれるか否かを検出し、画像データに２次元コード情報が含まれる場合は、２次元コード情報を抽出する。
【００３６】
２次元コード情報デコード部１１２は、検出部１１０が抽出した２次元コード情報をデコードして文字情報に変換する。
【００３７】
解析処理部１１４は、２次元コード情報デコード部１１２がデコードした文字情報に、コマンド情報が含まれるか否かを解析する。
【００３８】
表示部１２０は２次元コード情報デコード部１１２がデコードした文字情報等を表示する。印刷処理部１１８は、画像データ取得部１０８が取得した画像データ等を印刷出力する。
【００３９】
制御部１１６は、２次元コード情報デコード部１１２がデコードした文字情報にコマンド情報が含まれる場合、そのコマンド情報に基づいて、原稿読取部１０４が読み取る原稿や画像データ取得部１０８が取得した画像データに対する処理を制御する。具体的には、制御部１１６は、たとえば画像データ取得部１０８に、原稿読取部１０４による原稿の読み取り方法等を指示する。たとえば、画像データ取得部１０８は、制御部１１６からの指示に基づき、原稿読取部１０４に、原稿をカラーで読み取らせたり白黒で読み取らせたり等する。また、制御部１１６は、たとえば印刷処理部１１８に画像データの印刷枚数等を指示する。また、制御部１１６は、たとえば通信制御部１０６に、画像データの送信指示等を行う。
【００４０】
図２は、本実施の形態におけるネットワーク複合機１００の処理手順の一例を示すフローチャートである。
【００４１】
画像データ取得部１０８が画像データを取得すると（Ｓ１００のＹＥＳ）、検出部１１０は、その画像データに２次元コード情報が含まれるか否かを検出する（Ｓ１０２）。画像データが２次元コード情報を含む場合（Ｓ１０２のＹＥＳ）、検出部１１０は、画像データから２次元コード情報を抽出し、２次元コード情報デコード部１１２に送出する。２次元コード情報デコード部１１２は、検出部１１０から送出された２次元コード情報をデコードして文字情報に変換する（Ｓ１０４）。解析処理部１１４は、２次元コード情報デコード部１１２が変換した文字情報にコマンド情報が含まれるか否かを判断する（Ｓ１０６）。文字情報にコマンド情報が含まれる場合（Ｓ１０６のＹＥＳ）、解析処理部１１４は、文字情報を解析し、コマンド情報およびパラメータ等を取得する（Ｓ１０８）。ここで、たとえば、ユーザからの指示が、ファクシミリ送信指示の場合、コマンド情報は、送信先のアドレス、送信するタイミング等を含む。また、パラメータとして、ファクシミリ送信のリトライ回数等が含まれる。この場合、文字情報は、たとえば「送信文書／送信先：○○−××××−××××／送信時刻：即時送信／リトライ回数：１０回／分」と表される。
【００４２】
制御部１１６は、解析処理部１１４が解析した文字情報に基づき、ネットワーク複合機１００の各機能を制御して、処理対象の原稿や画像データへの処理を開始する（Ｓ１１０）。たとえば、ユーザからの指示がファクシミリ送信の場合、画像データ取得部１０８を制御して原稿読取部１０４にセットされた原稿を読み取らせ、画像データを生成させて画像データを取得させる。ついで、通信制御部１０６を制御して、画像データ取得部１０８が取得した画像データを文字情報に含まれるコマンド情報及びパラメータに従って所定の送信先に送信させる。
【００４３】
処理が終了すると（Ｓ１１２のＹＥＳ）、一連の手順を終了して、次の指示があるまで待機する。
【００４４】
一方、ステップＳ１０２において、画像データ取得部１０８が取得した画像データに２次元コード情報が含まれない場合、画像データ取得部１０８は、その画像データが処理対象の画像データであると判断して、制御部１１６からの指示を待つ（Ｓ１１４）。ユーザからの処理対象の画像データに対する指示を受け付けると（Ｓ１１４のＹＥＳ）、ステップＳ１１０に進み、制御部１１６は、ユーザからの指示に基づき、ネットワーク複合機１００の各機能を制御して、処理対象の原稿や画像データへの処理を開始する（Ｓ１１０）。
【００４５】
図３は、原稿読取部１０４が読み取る原稿を模式的に示す図である。本実施の形態において、原稿読取部１０４は、処理対象原稿１６０および２次元コード情報原稿１６２を読み取ることができる。２次元コード情報原稿１６２により、処理対象原稿１６０への処理を指示する場合の原稿の読み取らせ方法は、ネットワーク複合機１００ごとに予め設定しておくことができる。たとえば、２次元コード情報原稿１６２を先に原稿読取部１０４に読み取らせ、つづいて処理対象原稿１６０を原稿読取部１０４に読み取らせるようにすることができる。また、処理対象原稿１６０を先に原稿読取部１０４に読み取らせた後、２次元コード情報原稿１６２を原稿読取部１０４に読み取らせるようにすることもできる。
【００４６】
また、たとえば以下に説明するように、２次元コード情報原稿１６２を読み取らせる際には、ユーザに操作部（不図示）等から２次元コード情報を含む原稿を読み取らせることを指定させるようにすることもできる。
【００４７】
図４は、本実施の形態におけるネットワーク複合機１００の処理手順の他の例を示すフローチャートである。ここでは、ユーザが２次元コード情報を用いて処理対象の原稿や画像データへの処理を指示する場合、ユーザが予め２次元コード情報を用いて指示を行うことを指定する場合を例として説明する。
【００４８】
ここで、ユーザが２次元コード情報を用いて処理対象の原稿や画像データへの処理を指示する場合、ユーザは、処理対象の原稿または画像データに対するコマンド情報等を含む所定の形式の２次元コード情報が印刷された原稿を原稿読取部１０４にセットするとともに、操作部（不図示）から「指示読み込み」等のボタンを選択する。指示受付部１０２は、ユーザの操作部の選択に基づき、ユーザからの指示が原稿読み込みであること、およびその原稿がコマンド情報を含む２次元コード情報が印刷された原稿であることを把握する。原稿読取部１０４は、原稿読取部１０４にセットされた原稿を読み取り、２次元コード情報を含む画像データを生成する。画像データ取得部１０８は、原稿読取部１０４から２次元コード情報を含む画像データを取得する。また、指示受付部１０２は、検出部１１０に、ユーザからの指示が２次元コード情報を用いた指示であることを通知する。
【００４９】
画像データ取得部１０８が画像データを取得すると（Ｓ１２０のＹＥＳ）、検出部１１０は、その画像データが２次元コード情報を用いた指示であるか否かを判断する（Ｓ１２２）。検出部１１０は、指示受付部１０２からの通知に基づき、画像データ取得部１０８が取得した画像データが２次元コード情報を用いた指示であるか否か判断する。
【００５０】
画像データ取得部１０８が取得した画像データが２次元コード情報を用いた指示の場合（Ｓ１２２のＹＥＳ）、検出部１１０は、画像データ取得部１０８が取得した画像データから、２次元コード情報を抽出し（Ｓ１２４）、２次元コード情報デコード部１１２に送出する。２次元コード情報デコード部１１２は、検出部１１０から送出された２次元コード情報をデコードして文字情報に変換する（Ｓ１２６）。解析処理部１１４は、２次元コード情報デコード部１１２が変換した文字情報を解析し、コマンド情報およびパラメータ等を取得する（Ｓ１２８）。
【００５１】
制御部１１６は、解析処理部１１４が解析した文字情報に基づき、ネットワーク複合機１００の各機能を制御して、処理対象の原稿や画像データへの処理を行う（Ｓ１３０）。たとえば、ユーザからの指示がファクシミリ送信の場合、画像データ取得部１０８を制御して原稿読取部１０４にセットされた原稿を読み取らせ、画像データを生成させて画像データを取得させる。ついで、通信制御部１０６を制御して、画像データ取得部１０８が取得した画像データを文字情報に含まれるコマンド情報及びパラメータに従って所定の送信先に送信させる。
【００５２】
処理が終了すると（Ｓ１３２のＹＥＳ）、一連の手順を終了して、次の指示があるまで待機する。
【００５３】
また、ステップ１２２において、画像データ取得部１０８が取得した画像データが２次元コード情報を用いた指示ではない場合（Ｓ１２２のＮＯ）、画像データ取得部１０８は、その画像データが処理対象の画像データであると判断して、制御部１１６からの指示を待つ（Ｓ１３４）。ユーザからの処理対象の画像データに対する指示を受け付けると（Ｓ１３４のＹＥＳ）、ステップＳ１１０に進み、制御部１１６は、ユーザからの指示に基づき、ネットワーク複合機１００の各機能を制御して、処理対象の原稿や画像データへの処理を開始する（Ｓ１３０）。
【００５４】
本実施の形態において、処理対象の原稿や画像データに対する処理の指示を、２次元コード情報を印刷した原稿または２次元コード情報を含む画像データとして保持しておけば、その２次元コード情報に基づき、画像データ処理装置に処理対象の原稿や画像データに対する処理を行わせることができる。これにより、たとえば複雑な処理手順があるような場合に、ユーザがいちいち操作部を用いて指示を入力することなく、画像データ処理装置に所望の処理を実行させることができる。
【００５５】
また、一つのネットワーク複合機１００を複数のユーザで共有する場合等であっても、所望の処理の指示を示す２次元コード情報をユーザが各自で保持しておくことにより、ネットワーク複合機１００に自分の所望の処理を簡単に実行させることができる。さらに、一つの２次元コード情報を、複数のネットワーク複合機１００で利用することもできる。
【００５６】
（第二の実施の形態）
本実施の形態におけるネットワーク複合機は、文字情報を変換して所定の形式の２次元コード情報を生成する機能を有する。ここで、２次元コード情報は、一般的に２次元コード情報として知られている種々のものを用いることができるが、たとえばＱＲコードを用いることができる。ネットワーク複合機は、処理対象の原稿または画像データに対する処理の指示を受け付けると、その指示を示す文字情報を所定の２次元コード情報に変換して印刷出力する。これにより、その２次元コード情報のデコード機能を有するネットワーク複合機等の装置において、２次元コード情報を読み取らせることにより、処理対象の原稿または画像データに対する処理の指示を入力することができる。
【００５７】
図５は、本実施の形態におけるネットワーク複合機の構成を示すブロック図である。
ネットワーク複合機２００は、操作部１２２、指示受付部１０２、原稿読取部１０４、通信制御部１０６、画像データ取得部１０８、制御部１１６、印刷処理部１１８、表示部１２０、２次元コード情報生成部１２４、および指示記憶部１２６を有する。なお、図５において、本発明の本質に関わらない部分の構成については省略してあり、たとえば、一般的なネットワーク複合機の構成である画像処理部等は図示していない。
【００５８】
本実施の形態において、第一の実施の形態において図１を参照して説明したネットワーク複合機１００の構成要素と同様の構成要素には同様の符号を付し、適宜説明を省略する。
【００５９】
操作部１２２は、キーボード、テンキー、タッチパネル等により構成され、ユーザからの処理対象の原稿または画像データに対する処理の指示を入力する。指示受付部１０２は、操作部１２２から入力されたユーザからの指示を受け付ける。   制御部１１６は、指示受付部１０２が受け付けた指示に基づき、原稿読取部１０４が読み取る原稿や画像データ取得部１０８が取得した画像データに対する処理を制御する。指示記憶部１２６は、指示受付部１０２が受け付けた一連の指示を記憶する。
【００６０】
２次元コード情報生成部１２４は、指示受付部１０２が受け付けた指示を示す文字情報を２次元コード情報に変換する。印刷処理部１１８は、２次元コード情報生成部１２４が生成した２次元コード情報を紙媒体等に印刷する。
【００６１】
このようにすれば、第一の実施の形態で説明したような機能を有するネットワーク複合機１００への指示を、印刷処理部１１８により印刷された２次元コード情報を含む原稿を用いて行うことができる。
【００６２】
図６は、本実施の形態におけるネットワーク複合機２００の処理手順の一例を示すフローチャートである。以下、図５も参照して説明する。
【００６３】
操作部１２２が、ユーザからの操作を受け付けると（Ｓ１５０のＹＥＳ）、指示受付部１０２は、操作部１２２から入力されたユーザの指示を受け付ける。制御部１１６は、指示受付部１０２が受け付けた指示に基づき、原稿読取部１０４が読み取る原稿や画像データ取得部１０８が取得した画像データへの処理を開始する（Ｓ１５２）。以上の処理は、通常のネットワーク複合機等で行われているのと同様の手順である。なお、指示受付部１０２が受け付けた指示は、指示記憶部１２６に一時的に記憶される。
【００６４】
つづいて、原稿や画像データへの処理が終了すると（Ｓ１５４のＹＥＳ）、制御部１１６は、指示受付部１０２が受け付けたユーザの指示を示す文字情報を２次元コード情報に変換して印刷するか否かを判断する（Ｓ１５６）。制御部１１６は、たとえば表示部１２０に、「いまの設定を２次元コード情報として印刷しますか？」等の問い合わせを表示し、ユーザが「印刷する」旨を選択した場合、２次元コード情報を印刷すると判断することができる。また、ユーザが「印刷する」旨を選択した場合、２次元コード情報とともに指示を示す文字情報も印刷するか否かについて、ユーザに問い合わせることもできる。
【００６５】
ステップＳ１５６において、２次元コード情報を印刷すると判断した場合（Ｓ１５６のＹＥＳ）、２次元コード情報生成部１２４は、制御部１１６は、指示記憶部１２６からユーザの指示を読み出し、２次元コード情報生成部１２４に送出する。２次元コード情報生成部１２４は、ユーザの指示を変換して所定の形式の２次元コード情報を生成する（Ｓ１５８）。印刷処理部１１８は、２次元コード情報生成部１２４が生成した２次元コード情報を紙媒体等に印刷する（Ｓ１６０）。ユーザが２次元コード情報とともに指示を示す文字情報も印刷する旨の選択をしている場合、印刷処理部１１８は、２次元コード情報とともに、指示を示す文字情報も印刷する。以上により、処理が終了する。
【００６６】
ステップＳ１５６において、２次元コード情報を印刷しない場合は、処理を終了する。
【００６７】
本実施の形態において、ユーザは、原稿や画像データに対して初めて処理を行う際は、従来通り操作部１２２等を介して指示を入力する。その後、その指示内容を印刷出力しておきたい場合は、２次元コード情報生成部１２４に指示内容を２次元コード情報に変換させ、印刷処理部１１８から２次元コード情報を印刷させて、その原稿を保持しておくことができる。その後、第一の実施の形態で説明したネットワーク複合機１００のような２次元コード情報をデコードする機能を有する装置において、２次元コード情報を読み取らせることにより、次回からは、操作部１２２から指示をいちいち行わなくても、ネットワーク複合機１００に所望の処理を行わせることができる。
【００６８】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００６９】
ネットワーク複合機１００およびネットワーク複合機２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。実施の形態で説明した各図は、ハードウエア単位の構成ではなく、機能単位のブロックを示している。
【００７０】
以上の実施の形態においては、画像データ管理装置の例として、第一の実施の形態で２次元コード情報をデコードする機能を有するネットワーク複合機１００を示し、第二の実施の形態で２次元コード情報を生成する機能を有するネットワーク複合機２００につき説明したが、画像データ管理装置は、２次元コード情報をデコードする機能および２次元コード情報を生成する機能の両方を含むものとすることができる。
【００７１】
また、以上の実施の形態においては、おもに原稿読取部１０４から読み取る原稿やその原稿に基づき生成された画像データに対する処理について説明したが、画像データ取得部１０８は、ネットワーク１５０を介して画像データを取得することもできる。この場合、２次元コード情報は、原稿読取部１０４から読み取る構成としてもよく、また、２次元コード情報を含む画像データもネットワーク１５０を介して他の端末から送信されてもよい。
【００７２】
また、ネットワーク複合機１００は、原稿読取部１０４とは別に２次元コード情報を読み取る専用のバーコードリーダを含む構成とすることもできる。このようにすれば、たとえばプラスチックシート等に２次元コード情報を印刷しておき、それをバーコードリーダで読み取らせるだけで、ネットワーク複合機１００に所望の処理を実行させることができる。
【００７３】
以上の実施の形態においては、ネットワーク複合機を例として説明したが、本発明の画像データ処理装置は、ファクシミリ装置やスキャナ等とすることもできる。
【図面の簡単な説明】
【００７４】
【図１】実施の形態におけるネットワーク複合機の構成を示すブロック図である。
【図２】実施の形態におけるネットワーク複合機の処理手順の一例を示すフローチャートである。
【図３】原稿読取部が読み取る原稿を模式的に示す図である。
【図４】実施の形態におけるネットワーク複合機の処理手順の他の例を示すフローチャートである。
【図５】実施の形態におけるネットワーク複合機の構成を示すブロック図である。
【図６】実施の形態におけるネットワーク複合機の処理手順の一例を示すフローチャートである。
【符号の説明】
【００７５】
１００  ネットワーク複合機
１０２  指示受付部
１０４  原稿読取部
１０６  通信制御部
１０８  画像データ取得部
１１０  検出部
１１２  ２次元コード情報デコード部
１１４  解析処理部
１１６  制御部
１１８  印刷処理部
１２０  表示部
１２２  操作部
１２４  ２次元コード情報生成部
１５０  ネットワーク
１６０  処理対象原稿
１６２  ２次元コード情報
２００  ネットワーク複合機
【図１】
2006080940.tif 000003
【図２】
2006080940.tif 000004
【図３】
2006080940.tif 000005
【図４】
2006080940.tif 000006
【図５】
2006080940.tif 000007
【図６】
2006080940.tif 000008